(57)【特許請求の範囲】
【請求項１】
氷点下の空気が流通する空気通路内に設けられる加湿パンであって、この加湿パンにおける加湿パン本体内底部よりも高い位置に上端縁を有しかつ同加湿パン内の水を排水する排水口まわりに、この排水口を塞ぐ寸法の氷が排水口に流入しないように排水口への通過を妨げる氷流入防止部材を設けて、加湿停止時の残留排水の凍結した氷片が加湿時に該氷流入防止部材で、排水口への流入を防止するとともに、該氷流入防止部材によって止められた氷は、加湿用水の熱によって溶解して流入防止部材の間をすり抜けて水とともに流れることを特徴とする加湿パンであって、
前記氷流入防止部材を複数の棒状部材で構成し、各棒状部材が前記排水口の縁周を囲繞するように、前記棒状部材を加湿パンにおける加湿パン本体内底部から立設してなる加湿パンにおいて、
前記複数の棒状部材の各間隙を、前記排水口の内径よりも小なる間隔とするとともに、前記棒状部材の先端高さを、加湿パン内における排水口の上端縁よりも高く、且つ水面上に出ている前記棒状部材の先端部分まで水の温度が伝わる高さに設定し、先端部分に霜が付かないようにすることを特徴とする加湿パン。
【発明の詳細な説明】
【技術分野】
【０００１】
本発明は、例えば降雪装置等の造雪部に供給する氷点下の空気を加湿するのに好適な加湿パンに関し、より詳しくは、加湿パン内の水の循環停止によりこの加湿パン内に生じた氷が、水の再循環開始により加湿パン内の水の排水口へ流入するのを防止できるようにした加湿パンに関する。
【背景技術】
【０００２】
例えば人工降雪装置等の造雪部に氷点下の加湿空気を供給する場合、氷点下の空気が流通する空気通路に、例えば４０℃以下の水温設定をした低水温の水を満たした加湿パンを設け、この加湿パン内の水が蒸発した水分を含ませて氷飽和以上に湿った空気を生成する構成の装置を使用する場合がある（例えば、特許文献１参照）。
【０００３】
そして、上述のような人工降雪装置等において造雪を一時停止する場合は、造雪部への氷点下の空気供給は一旦停止してしまうとその供給温度が安定するまで時間を要してしまうので連続して供給を行うが、加湿パンへの加湿用水の供給は停止してエネルギーを節約するのが一般的であり、加湿パンへの水の供給が停止されれば加湿パン内でも水の凍結を防止するために加湿パン内の排水を行う。
【０００４】
しかしながら、加湿パンへの水の供給を停止して加湿パン内から水を排水しても、加湿パン内には若干の水が残留し、しかも空気通路には氷点下の空気が継続して流されるので、加湿パン内に残留する水が凍結して氷となる。
【０００５】
そして、降雪装置等における造雪の一時停止が解除されて加湿パンへの水の供給が再開されると、加湿パン内の底に張った氷が新たに供給される水の熱で一部が融け、融け残りの氷が水面に浮上して排水口へ導かれ、排水口を閉塞して排水そのものができなくなったり、氷が排水口に詰まって排水量が減少したりというトラブルが発生し、排水できない水が加湿パンから溢れて空気通路内に滴下し、水漏れを生じさせることがあった。
【０００６】
【特許文献１】特許第３３９７５８２号公報（第１〜５頁、図１〜５）
【発明の開示】
【発明が解決しようとする課題】
【０００７】
本発明は、加湿パン内において生成した氷が排水口を閉塞するのを防止でき、したがって加湿パンからの水漏れを起こさない加湿パンを提供できるようにした。
【課題を解決するための手段】
【０００８】
上述した課題を解決するために、本発明に係る加湿パンは、氷点下の空気が流通する空気通路内に設けられる加湿パンであって、同加湿パン内の水を排水する排水口まわりに、この排水口を塞ぐ寸法の氷が排水口に流入しないように排水口への通過を妨げる氷流入防止部材を設けた構成のものとしてある。
【０００９】
また、前記氷流入防止部材を複数の棒状部材で構成し、各棒状部材が前記排水口の縁周を囲繞するように、前記棒状部材を加湿パンにおける加湿パン本体内底部から立設したものとしてある。
【００１０】
さらに前記棒状部材の各間隙を、排水口の内径よりも小なる間隔とし、前記棒状部材の先端高さを、加湿パン内における排水口の上端縁よりも高く設定した構成のものとしてある。
【発明の効果】
【００１１】
本発明の加湿パンによれば、棒状の氷流入防止部材を加湿パン内の水の排水口の周縁を囲むように配設しているので、加湿パン内への水の供給が一時停止されその後また水を加湿パン内へ供給した際、加湿パン内の氷が排水される水とともに加湿パン内の排水口へ導かれても、寸法の大なる氷だけが氷流入防止部材により排水口の手前で止められて水や細かい氷の破片は排水口より排水されるので、排水口が氷によって塞がれるおそれは殆どなく、加湿パンからの水漏れを防止できる。
【００１２】
また、氷流入防止部材により止められた氷は、時間の経過とともに加湿用水の熱によって融解して寸法が徐々に小となり、排水口の内径よりも小になると、氷流入防止部材の間をすり抜けて排水口に流入し水とともに流れるようにしているため、氷流入防止部材で止めた氷により水面が長時間覆われることがなく、したがって、加湿パン内への水の循環を再開してから短時間で水からの水分蒸発（加湿）量を安定させることができる。
以上のことから、加湿室内が低温に維持された状態であっても、加湿パンへの水の供給、停止を自由に行うことができる。
【発明を実施するための最良の形態】
【００１３】
以下、本発明に係る加湿パンの実施例を添付図面に示す具体例に基づいて説明する。
加湿パン１は、給水管３ａにより給水口３から供給された水８を排水するための排水口４の周縁を囲むように、氷流入防止部材たる氷流入防止棒６（例えば直径２ｍｍ程度の断面円形の棒）を加湿パン本体２の内底部２ａから立設してある。
なお、加湿パン本体２はステンレス材等の防錆に優れる素材のものを用いて形成するのが好ましい。
【００１４】
この加湿パン１は、図４に示すように、降雪装置等の造雪室に供給する氷点下の空気を加湿するための空気通路たる加湿室１０内に多段に配設されている。
【００１５】
そして、氷は水面に浮いて移動するため、氷流入防止部材（氷流入防止棒６）を排水口４の周縁下方部分には配設しなくてもよいのが普通であるが、本発明は流入防止部材である氷流入防止棒６を加湿パン本体２の内底部２ａから立設することにより、加湿パン本体２の底部２ａから剥がれて水８の水面８ａへの浮上途中にある氷９が氷流入防止部材（氷流入防止棒６）を配設していない排水口４の縁周下方部分をすり抜けて排水口４に流入しないように配慮した構成としてある。
【００１６】
流入防止棒６の立設間隔は、排水口４の内径より若干小なる間隔に設定してあって、図３に示すように、各氷流入防止棒６で止められた氷９が加湿用水８の熱により排水口４に流入できる大きさまで融けると、この氷９が各氷流入防止棒６の間をすり抜けて水８とともに排水口４から流れ出るようにしている。
すなわち、氷流入防止棒６で止められた氷９が水面８ａを長時間覆うことがないようにしている。
【００１７】
また氷流入防止棒６の先端は、図２に示すように、加湿パン１内における加湿パン本体２内の満水時における水面８ａ上に僅かに出るように、すなわち氷流入防止棒６の高さを排水口４の開口上端の高さよりも若干大に設定してあって、排水口４に流入しようとする氷９をより確実に止められるようにしているとともに、水面８ａ上に出ている氷流入防止棒６の先端部分まで水８の温度が伝わるようにしてこの氷流入防止棒６の先端部分に霜が付かないようにしている。
【００１８】
なお、図中の符号５は、加湿パン１における加湿パン本体２の外面に覆着してあるウレタン、ポリスチレン等の素材からなる断熱材である。
【００１９】
また図中の符号７は、排水口４に接続する排水管４ａの加湿パン本体２内を通過する部分の加湿パン本体２の底部付近に配設する通水孔７であり、加湿パン１への水８の供給が一時停止された際、この通水孔７より、加湿パン１における加湿パン本体２内に残留する水８が排水管４ａに流入して排水されるようになっている。
【００２０】
上述した実施例においては、加湿パン１への加湿用水の供給についての詳細については説明していないが、通常は排水口４から排出された水を所定の温度（例えば４０℃まで加熱して再び加湿パンに供給する循環式とする。
【図面の簡単な説明】
【００２１】
【図１】本発明に係る加湿パンの一例を示す斜視図。
【図２】図１のI−I線断面図。
【図３】氷が止められた状態を示す加湿パンの斜視図。
【図４】加湿室内における加湿パンの配設状態を、図１中のII矢視方向から示す側面図。
【符号の説明】
【００２２】
１  加湿パン
２  加湿パン本体
２ａ  内底部
３  給水口
３ａ  給水管
４  排水口
４ａ  排水管
５  断熱材
６  氷流入防止棒
７  通水孔
８  加湿用水
８ａ  水面
９  氷
１０  加湿室
【図１】
0004974381.tif 000002
【図２】
0004974381.tif 000003
【図３】
0004974381.tif 000004
【図４】
0004974381.tif 000005